【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
アクセサリ装置が取り外し可能に装着され、垂直同期信号に同期して撮像を行う撮像装置であって、
前記垂直同期信号に同期して前記アクセサリ装置と通信を行うカメラ制御手段を有し、
前記カメラ制御手段は、前記アクセサリ装置にデータを送信させるための送信要求コマンドを、前記垂直同期信号の一周期内に前記アクセサリ装置に対して複数送信可能であり、
前記カメラ制御手段は、前記垂直同期信号の一周期内における所定のタイミングに、複数の前記送信要求コマンドのうち特定の送信要求コマンドを送信することを特徴とする撮像装置。
【請求項２】
前記特定の送信要求コマンドは、前記垂直同期信号の一周期内に送信される複数の前記送信要求コマンドのうちの最初のコマンドとして送信されることを特徴とする請求項１に記載の札層装置。
【請求項３】
前記特定の送信要求コマンドは、前記アクセサリ装置から前記撮像装置に対して送信される複数の通信データの組み合わせとその送信順序を示すコマンド登録情報に対応付けられ、前記アクセサリ装置に前記コマンド登録情報に基づく送信順序で前記複数のデータを連続して送信させるための連続送信要求コマンドであることを特徴とする請求項１または２に記載の撮像装置。
【請求項４】
アクセサリ装置が取り外し可能に装着され、垂直同期信号に同期して撮像を行う撮像装置であって、
前記垂直同期信号に同期して前記アクセサリ装置と通信を行うカメラ制御手段を有し、
前記カメラ制御手段は、前記アクセサリ装置にデータを送信させるための送信要求コマンドを、前記垂直同期信号の一周期内に前記アクセサリ装置に対して複数送信可能であり、
前記カメラ制御手段は、前記垂直同期信号の一周期内において所定のタイミングで送信される送信要求コマンドに、前記垂直同期信号の一周期内における所定のタイミングに送信されるデータであることを示す情報を付加して前記アクセサリ装置に送信することを特徴とする撮像装置。
【請求項５】
前記情報は、前記垂直同期信号の一周期内に送信される複数の前記送信要求コマンドのうちの最初のコマンドに付加され、
前記情報は、前記情報が負荷された送信要求コマンドは前記垂直同期信号の一周期内に送信される複数の前記送信要求コマンドのうち最初の送信要求コマンドであることを示す情報であることを特徴とする請求項４に記載の撮像装置。
【請求項６】
複数の前記送信要求コマンドは、前記アクセサリ装置から前記撮像装置に対して送信される複数の通信データの組み合わせとその送信順序を示すコマンド登録情報に対応付けられ、前記アクセサリ装置に前記コマンド登録情報に基づく送信順序で前記複数のデータを連続して送信させるための連続送信要求コマンドを含むことを特徴とする請求項４または５に記載の撮像装置。
【請求項７】
前記カメラ制御手段は、前記垂直同期信号の一周期内において最初に行われる前記アクセサリ装置からのデータ通信の前に、前記垂直同期信号の出力タイミングからの遅延時間を示す情報を前記アクセサリ装置に送信することを特徴とする請求項１乃至６のいずれか１項に記載の撮像装置。
【請求項８】
前記カメラ制御手段は、前記遅延時間の長さに応じて異なるコマンドを前記アクセサリ装置に送信することを特徴とする請求項７に記載の撮像装置。
【請求項９】
前記カメラ制御手段は、前記遅延時間に基づいて作成されたデータを前記アクセサリ装置から受信し、受信した前記データに基づいて作成された、前記アクセサリ装置に含まれる光学部材の駆動信号を前記アクセサリ装置に送信することを特徴とする請求項７または８に記載の撮像装置。
【請求項１０】
前記アクセサリ装置に含まれる光学部材は、フォーカシングに際して移動するフォーカスレンズであることを特徴とする請求項９に記載の撮像装置。
【請求項１１】
前記アクセサリ装置に含まれる光学部材は、像振れ補正に際して移動する振れ補正レンズであることを特徴とする請求項９に記載の撮像装置。
【請求項１２】
垂直同期信号に同期して撮像を行う撮像装置に対して取り外し可能であり、前記垂直同期信号に同期して前記撮像装置と通信を行うアクセサリ制御手段を有するアクセサリ装置であって、
前記アクセサリ制御手段は、前記垂直同期信号の一周期内に前記撮像装置から送信される複数の送信要求コマンドを受信することに応じて、前記撮像装置に対してデータの送信を行い、
前記アクセサリ制御手段は、前記垂直同期信号の一周期内における所定のタイミングで、複数の前記送信要求コマンドのうち特定の送信要求コマンドを前記撮像装置から受信することを特徴とするアクセサリ装置。
【請求項１３】
垂直同期信号に同期して撮像を行う撮像装置に対して取り外し可能であり、前記垂直同期信号に同期して前記撮像装置と通信を行うアクセサリ制御手段を有するアクセサリ装置であって、
前記アクセサリ制御手段は、前記垂直同期信号の一周期内に前記撮像装置から送信される複数の送信要求コマンドを受信することに応じて、前記撮像装置に対してデータの送信を行い、
前記アクセサリ制御手段は、前記垂直同期信号の一周期内における所定のタイミングに送信される送信要求コマンドであることを示す情報が付加された送信要求コマンドを、前記垂直同期信号の一周期内における前記所定のタイミングに受信することを特徴とするアクセサリ装置。
【請求項１４】
アクセサリ装置が取り外し可能に装着され、垂直同期信号に同期して撮像を行う撮像装置のコンピュータに、
前記アクセサリ装置にデータを送信させるための送信要求コマンドを、前記垂直同期信号の一周期内に前記アクセサリ装置に対して複数送信するステップを実行させ、
前記垂直同期信号の一周期内における所定のタイミングに、複数の前記送信要求コマンドのうち特定の送信要求コマンドを送信することを特徴とする制御プログラム。
【請求項１５】
アクセサリ装置が取り外し可能に装着され、垂直同期信号に同期して撮像を行う撮像装置のコンピュータに、
前記アクセサリ装置にデータを送信させるための送信要求コマンドを、前記垂直同期信号の一周期内に前記アクセサリ装置に対して複数送信するステップを実行させ、
前記垂直同期信号の一周期内における所定のタイミングで送信される送信要求コマンドには、前記垂直同期信号の一周期内における所定のタイミングに送信されるデータであることを示す情報が付加されることを特徴とする制御プログラム。
【請求項１６】
垂直同期信号に同期して撮像を行う撮像装置に取り外し可能であり、前記垂直同期信号に同期して前記撮像装置と通信を行うアクセサリ装置のコンピュータに、
前記垂直同期信号の一周期内に前記撮像装置から送信される複数の送信要求コマンドを受信することに応じて、前記撮像装置に対してデータの送信を行うステップを実行させ、
前記垂直同期信号の一周期内における所定のタイミングで、複数の前記送信要求コマンドのうち予め定められた特定の送信要求コマンドを受信することを特徴とする制御プログラム。
【請求項１７】
垂直同期信号に同期して撮像を行う撮像装置に取り外し可能であり、前記垂直同期信号に同期して前記撮像装置と通信を行うアクセサリ装置のコンピュータに、
前記垂直同期信号の一周期内に前記撮像装置から送信される複数の送信要求コマンドを受信することに応じて、前記撮像装置に対してデータの送信を行うステップを実行させ、
前記垂直同期信号の一周期内における所定のタイミングに送信される送信要求コマンドであることを示す情報が付加された送信要求コマンドを、前記垂直同期信号の一周期内における所定のタイミングに受信することを特徴とする制御プログラム。
【請求項１８】
請求項１に記載の撮像装置と、前記撮像装置に装着されるアクセサリを有することを特徴とする撮像システム。
【請求項１９】
請求項４に記載の撮像装置と、前記撮像装置に装着されるアクセサリを有することを特徴とする撮像システム。
【手続補正２】
【補正対象書類名】明細書
【補正対象項目名】００１１
【補正方法】変更
【補正の内容】
【００１１】
本発明の撮像装置は、アクセサリ装置が取り外し可能に装着され、垂直同期信号に同期して撮像を行う撮像装置であって、前記垂直同期信号に同期して前記アクセサリ装置と通信を行うカメラ制御手段を有し、前記カメラ制御手段は、前記アクセサリ装置にデータを送信させるための送信要求コマンドを、前記垂直同期信号の一周期内に前記アクセサリ装置に対して複数送信可能であり、前記カメラ制御手段は、前記垂直同期信号の一周期内における所定のタイミングに、複数の前記送信要求コマンドのうち特定の送信要求コマンドを送信することを特徴とする。
【手続補正３】
【補正対象書類名】明細書
【補正対象項目名】００１２
【補正方法】変更
【補正の内容】
【００１２】
また、本発明の撮像装置は、アクセサリ装置が取り外し可能に装着され、垂直同期信号に同期して撮像を行う撮像装置であって、前記垂直同期信号に同期して前記アクセサリ装置と通信を行うカメラ制御手段を有し、前記カメラ制御手段は、前記アクセサリ装置にデータを送信させるための送信要求コマンドを、前記垂直同期信号の一周期内に前記アクセサリ装置に対して複数送信可能であり、前記カメラ制御手段は、前記垂直同期信号の一周期内において所定のタイミングで送信される送信要求コマンドに、前記垂直同期信号の一周期内における所定のタイミングに送信されるデータであることを示す情報を付加して前記アクセサリ装置に送信することを特徴とする。